(57)【要約】【課題】ブラジャーカップの構造の提供。【解決手段】本考案はブラジャーカップの構造に関するものである。そのブラジャーカップに内層条片、外層条片及び内、外層に設ける弾性体を含むし、熱圧成型又は縫製の方式で作られ、その弾性体が繊維の糸の順序によって条片の形状を敷いてから、畳む方式で縦方向の垂直繊維を成型するし、加熱方式でその縦方向の垂直繊維が相互に粘着させることはその特徴である。又、弾性体の縦方向の垂直繊維構造によって、より良い弾性及び空気の透過性を備えるので、継続の圧力を受けた後、素早く原状に戻って変形の現象が生じないのである。更に、本考案がバストを完全に包み込んで、トップを高く見せることができるし、本考案のブラジャーをつける場合、より快適な効果を持つのである。【選択図】図１
0003120735.tif 000002
【実用新案登録請求の範囲】
【請求項１】
ブラジャーカップの構造に関するものである、そのブラジャーカップに、
内層条片、外層条片及び内、外層に設ける弾性体を含み、熱圧成型又は縫製の方式で作られ、その特徴は下記の通りである、
その弾性体が繊維の糸の順序によって条片の形状を敷いてから、畳む方式で縦方向の垂直繊維を成型し、加熱方式でその縦方向の垂直繊維が相互に粘着させることを特徴とする、ブラジャーカップの構造。
【請求項２】
請求項１記載のブラジャーカップの構造において、その弾性体の繊維の糸に熱溶解特性を持つのであることを特徴とする、ブラジャーカップの構造。
【請求項３】
請求項１記載のブラジャーカップの構造において、その弾性体の適切な場所に特定な形状のより厚い弾性体を入れてパッドとして使うことができることを特徴とする、ブラジャーカップの構造。
【請求項４】
請求項１記載のブラジャーカップの構造において、その内層条片及び外層条片は不織布又はその他繊維を使って作ることができることを特徴とする、ブラジャーカップの構造。
【考案の詳細な説明】
【技術分野】
【０００１】
本考案はブラジャーカップの構造に関するものである。特に高い弾性のある繊維体を中間層とすることで、ベターの厚さ、弾性及び空気の透過性を備えるカップ構造を指すのである。
【背景技術】
【０００２】
ブラジャーは一番女性の肌身につけるものである。現在国民の生活品質が高めた環境で、ブラジャー製品もより巧んで良質化になった。消費者がブラジャーの品質及び使用の快適性に対する要求も相対的に増えるが、消費者がブラジャーをつける時、直接消費者の快適性に影響するのは、乳房を包み込んでトップを高く見せるカップである。それで、カップの構造及び設計はブラジャーにとって、一番重要な課題であるので、市場の競争力に一定の影響が出ることがわかる。
【０００３】
現在、市場によく見えるブラジャーのカップ構造はスポンジ、不織布及び両面仕上げのジャージの３種類を含む。
スポンジカップは発泡で成型されたスポンジを用いて、そのスポンジ両側の表面をそれぞれ内部、外部の表層の生地に貼って作られたカップである。そのスポンジカップが定型された後、その耐久性が悪いので、洗うため変形になる虞があるし、よく洗った後、スポンジが黄色になって表層の生地が染められる虞もある。又、スポンジカップの空気透過性がよくないので、女性消費者がブラジャーをつける場合、よく暑くて不快適になる。更に、最も重要なのは、スポンジカップに毒性があるので、人体に長期的に接触するのが不適合である。
【０００４】
不織布カップは一層の長い形状の繊維で畳んで作られ、その表層に溶剤をスプレーして固定成型される不織り布を用いて、その不織布両側の表面をそれぞれ内部、外部の表層の生地に貼って作られたカップである。その不織布がより良い持ち堪える性を持つが、長期的に使用又は洗った後、凹んで変形又は包み込む状態がよくないので、つける時不快適等の欠点があるし、不織布にスプレーしてある溶剤が空気透過性に影響が出るし、やや毒性があるので、人体に長期的に接触するのが不適合である。
【０００５】
両面仕上げのジャージカップは２枚の表層の生地の間にニットを使って対向交差で形成される両面仕上げのジャージを用いて、その両面仕上げのジャージ両側の表面をそれぞれ内部、外部の表層の生地に貼って作られたカップである。その両面仕上げのジャージカップは前述の２種類より良い弾性及び空気透過性を持つが、薄い条片の繊維生地を成型できるだけ、実用性及び適用性が良くないし、製造のコストが高いのである。
【考案の開示】
【考案が解決しようとする課題】
【０００６】
本考案はブラジャーカップの構造を提供するものである。その主要な目的は、そのブラジャーカップはより良い弾性及び空気の透過性を備えるので、継続の圧力を受けた後、素早く原状に戻って変形の現象が生じないのである。更に、本考案がバストを完全に包み込んで、トップを高く見せることができるし、本考案のブラジャーをつける場合、より快適な効果を持つのである。
【０００７】
上述の目的を達成するため、本考案者が特にブラジャーカップの構造を提供するのである。そのブラジャーカップに内層条片、外層条片及び内、外層に設ける弾性体を含むし、それを熱圧成型又は縫製の方式で作る。又、その弾性体が繊維の糸の順序によって条片の形状を敷いてから、畳む方式で縦方向の垂直繊維を成型するし、加熱方式でその縦方向の垂直繊維が相互に粘着させることはその特徴である。
【課題を解決するための手段】
【０００８】
請求項１の考案は、ブラジャーカップの構造に関するものである、そのブラジャーカップに、
内層条片、外層条片及び内、外層に設ける弾性体を含むし、熱圧成型又は縫製の方式で作られ、その特徴は下記の通りである、
その弾性体が繊維の糸の順序によって条片の形状を敷いてから、畳む方式で縦方向の垂直繊維を成型するし、加熱方式でその縦方向の垂直繊維が相互に粘着させることを特徴とする、ブラジャーカップの構造としている。
請求項２の考案は、請求項１記載のブラジャーカップの構造において、その弾性体の繊維の糸に熱溶解特性を持つのであることを特徴とする、ブラジャーカップの構造としている。
請求項３の考案は、請求項１記載のブラジャーカップの構造において、その弾性体の適切な場所に特定な形状のより厚い弾性体を入れてパッドとして使うことができることを特徴とする、ブラジャーカップの構造としている。
請求項４の考案は、請求項１記載のブラジャーカップの構造において、その内層条片及び外層条片は不織布又はその他繊維を使って作ることができることを特徴とする、ブラジャーカップの構造としている。
【考案の効果】
【０００９】
本考案はブラジャーカップの構造を提供するものである。その主要な目的は、そのブラジャーカップはより良い弾性及び空気の透過性を備えるので、継続の圧力を受けた後、素早く原状に戻って変形の現象が生じないのである。更に、本考案がバストを完全に包み込んで、トップを高く見せることができるし、本考案のブラジャーをつける場合、より快適な効果を持つのである。
【考案を実施するための最良の形態】
【００１０】
まず、図１をご参照ください。そのブラジャーカップ１に内層条片２、外層条片３、及び内層、外層の条片に設けられる弾性体４を含む。
その内層条片２及び外層条片３は不織布又はその他繊維を使って作ることができる。その弾性体４は若干縦方向の垂直繊維４１がある条片である。
【００１１】
下記に記載されるのは本考案の組立方式である。図２、図３をご参照ください。その弾性体４を成型する場合、まず繊維の糸で順序によって条片の形状に敷いてから、畳む方式で連続の波形状の縦方向の垂直繊維を成型するし、連続的な波形状の若干縦方向の垂直繊維４１の条片を形成するし、その条片の底面に一層の不織布４２を粘着することで畳まれた垂直繊維の分散を防止する。又、その条片の上下表層に加熱して、弾性体４の繊維の糸に熱溶解特性を持たせることで、その相隣する縦方向垂直繊維１１が相互に接続して固定することができるので、不織布４２と縦方向の垂直繊維４１を粘着して一体になるし、その縦方向垂直繊維１１の相互に粘着して成型するのである。
【００１２】
ブラジャーカップ１を作る時、弾性体４を適切なサイズにカットし、弾性体４の上、下表層を適切な厚さにカットしてから、不織布４２と一緒にカット(図４の通り)する。更に、そのカットした後の弾性体４を熱圧成型又は縫製の方式で内層条片２及び外層条片３を弾性体４の両端の面に固定することで、ブラジャーカップ１を作る。
【００１３】
ブラジャーカップ１の弾性体４に垂直繊維４１を持つので、使用する時より良い空気透過性があるため、ブラジャーカップ１を使用者の体につける場合、使用者の体での熱さを順調でカップの外側に排出する(図５の通り)ので、そのブラジャーカップをつける時、より良い快適な効果を達成することができる。
【００１４】
図６をご参照ください。それはブラジャーカップ６の別一つの実施例である。そのブラジャーカップ６が弾性体４の適切な場所に特定な形状のより厚い弾性体５を入れてパッドとして使ってから、熱圧成型又は縫製の方式で、その内層条片２と外層条片３を弾性体４の両端面に固定して、パッドのあるブラジャーカップ６が作られる。
【００１５】
上述の実施例の構造によって、本考案が下記のような長所を持つことがわかる。
１．本考案のブラジャーカップの弾性体の厚さは３〜５センチであるので、約両面仕上げのジャージの１０倍になるし、その繊維は縦方向の垂直状を呈するので、本考案のブラジャーカップに良い弾性の効果を持つことで、継続の圧力を受けた後、素早く原状に戻るため、その使用寿命を向上できるし、ベターのバストを完全に包み込んで、トップを高く見せる効果を提供することができる。
２．本考案のブラジャーカップの弾性体は完璧な構造を持つ垂直繊維であるので、より良い空気透過性及び弾性を提供することで、ブラジャーをつけて暑くなるための不快適さを避けられるので、つける時の快適さを向上できるし、変形しにくい効果も提供できる。
【図面の簡単な説明】
【００１６】
【図１】本考案の断面表示図である。
【図２】弾性体の成型状態表示図である。
【図３】弾性体の表示図である。
【図４】弾性体の上下表層を除去した表示図である。
【図５】本考案の使用状態の断面表示図である。
【図６】本考案の別一つの実施例の断面表示図である。
【符号の説明】
【００１７】
１    ブラジャーカップ                  ２    内層条片
３    外層条片                          ４    弾性体
４１  縦方向の垂直繊維                  ４２  不織布
５    弾性体                            ６    ブラジャーカップ
【図１】
0003120735.tif 000003
【図２】
0003120735.tif 000004
【図３】
0003120735.tif 000005
【図４】
0003120735.tif 000006
【図５】
0003120735.tif 000007
【図６】
0003120735.tif 000008